(57)【要約】【課題】動画像圧縮技術を用いて連続画像の静止画を得ようとすると高圧縮にはなるが、フレーム間圧縮が行われているため各フレームを再生はできず、基準フレームもしくは静止画撮影要求の識別信号情報のあるフレームを基準として伸長し再生することしかできなかった。またフレーム再生の時には基準フレームを必ず伸長する必要がありこのための複雑な再生処理が必要であり、画質も劣化する。また装置が複雑化し、高価になってしまうといった問題があった。【解決手段】連写画像を一時的に記憶する第一の記憶手段とデジタルカメラで記録する画像を記憶する第二の記憶手段と、前記第一の記憶手段のうち前後の画像の差異を検出する画像認識手段があり、前記画像認識手段が差異があると判別したら、前記第二の記憶手段の圧縮率を変えることを特徴とする。また交互に圧縮率を変えたり、最初の１枚目のみ圧縮率を低くする。【選択図】図１
2006174251.tif 000002
【特許請求の範囲】
【請求項１】
撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と
デジタルカメラで記録する画像を記憶する第二の記憶手段と、
前記第一の記憶手段のうち前後の画像の差異を検出する画像認識手段があり、
前記画像認識手段が差異があると判別したら、前記第二の記憶手段の圧縮率を変えることを特徴とするデジタルカメラ。
【請求項２】
請求項１記載のデジタルカメラにおいて、画像の差異を検出する画像認識手段にて判別する画像は全体画像の一部の領域で行うことを特徴とするデジタルカメラ。
【請求項３】
撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と
デジタルカメラで記録する画像を記憶する第二の記憶手段があり、
前記第二の記憶手段により低圧縮率（高詳細度画像）と高圧縮率（低細度画像）を交互で記録することを特徴とするデジタルカメラ。
【請求項４】
撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と、
デジタルカメラで記録する画像を記憶する第二の記憶手段があり、
前記第二の記憶手段により連写の最初の１枚目は低圧縮率（高詳細度画像）で記録し、
２枚目からは高圧縮率（低細度画像）で記録することを特徴とするデジタルカメラ。
【発明の詳細な説明】
【技術分野】
【０００１】
本発明は、ＣＣＤ，ＣＭＯＳ等の撮像素子を用いて撮影した撮影画像を圧縮して記録するためのデジタルカメラに関する。
【背景技術】
【０００２】
従来、銀塩フィルムの代わりに半導体メモリ、光磁気ディスク等を記録媒体として撮像画像をデジタル記録するデジタルスチルカメラが実用化されている。
【０００３】
記録媒体がランダムアクセス可能であれば記録順とは異なる順序で任意に再生できることや複製するときデジタル記録のため複製物の画質が劣化しないという利点がある。
【０００４】
しかしながらデジタル記録はアナログ記録に比べて記録データ量が膨大になるといった問題点があった。
【０００５】
記録データ量を削減する手段として情報圧縮技術が有益で公知の圧縮方式にＣＣＩＴＴとＩＳＯで規格化されている静止画のＪＰＥＧ（Ｊｏｉｎｔ  Ｐｈｏｔｏｇｒａｐｈｉｃ  Ｅｘｐｅｒｔｓ  Ｇｒｏｕｐ）方式、動画のＭＰＥＧ（Ｍｏｖｉｎｇ  Ｐｉｃｔｕｒｅｓ  Ｅｘｐｅｒｔｓ  Ｇｒｏｕｐ）方式等の様々の方式が提案されている。例えばＪＰＥＧ方式は非可逆圧縮で圧縮率を低圧縮率（高画質）から高圧縮率（低画質）に任意に変えることができる。
【０００６】
従来では静止画の単独撮影（単写）時には画質が優先され画像を取り込んだ後の後処理（圧縮処理と記録媒体への記録処理）に多少時間がかかったとしても許容できた。
【０００７】
しかし高速連写時には、連写の時間間隔が後処理に要する時間で制限されるので、圧縮処理と記録媒体への記録処理に要する時間を短縮するか、いずれかの部分を並行動作させて画像の取り込みの待ち時間を短縮しなければならない。
【０００８】
動画像の公知の圧縮技術であるＭＰＥＧ方式では、各画面の圧縮に時間軸方向の圧縮を加味して圧縮率を高めている。例えば、基準となる画面（開始フレーム）の前後のフレームは動きがあったとしても、基準画面との相関が高い（類似した画素情報が得られる）はずなので、同一の画素番地で基準画像値からの差分を求めて、これを符号化すれば圧縮効果が高くなる。
【０００９】
このため特許文献１のように連続撮影を画面内圧縮符号化方式で圧縮して第一メモリ手段に格納する第一圧縮手段と当該第一メモリ手段に一次記憶された画像情報を画面間相関を利用して再圧縮し、第二メモリ手段に格納する第二の圧縮手段があり、連続撮影中の静止画撮影要求の識別信号情報を発生する識別信号発生手段の識別信号に基づき、連続撮影中の単写静止画フレームを第二圧縮手段におけるフレーム圧縮の対象にしないように第二の圧縮手段を制御するといったものがあった。
【００１０】
また特許文献２のように１駒撮影（単写）モードが設定されているときは撮像手段からの画像データを画像圧縮して記録媒体に記録し、連続撮影時には単純に１駒撮影（単写）モード時より画像データ量を減少させてデータを圧縮せずに直接に記録媒体に記録するといったものがあった。
【特許文献１】特開平８−１２５９５７号公報
【特許文献２】特開平１０−１６４４９２号公報
【発明の開示】
【発明が解決しようとする課題】
【００１１】
しかしながら動画像圧縮技術を用いて連続画像の静止画を得ようとすると高圧縮にはなるが、フレーム間圧縮が行われているため各フレームを再生はできず、基準フレームもしくは静止画撮影要求の識別信号情報のあるフレームを基準として伸長し再生することしかできなかった。
【００１２】
またフレーム再生の時には基準フレームを必ず伸長する必要がありこのための複雑な再生処理が必要であり、画質も劣化する。
【００１３】
このような動画圧縮技術を用いればより高い圧縮率を達成できるが装置が複雑化し、高価になってしまうといった問題があった。
【００１４】
また連続撮影時に単純に１駒撮影（単写）モード時より画像データ量を減少させるといった撮像素子に取り込む画素数を減少させることで、取り込みデータを圧縮せずに直接に記録媒体に記録すると高速に静止画像を記録できるが全駒の連写画像が荒い画像になってしまい高精度記録ができないといった問題があった。
【００１５】
本発明は、これらの欠点を考慮し、連写の速度向上と必要画像の画質向上の両立を目的とする。
【課題を解決するための手段】
【００１６】
このため上記目的は、下記のような手段により達成される。
【００１７】
即ち、本発明１は、撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と、
デジタルカメラで記録する画像を記憶する第二の記憶手段と、
前記第一の記憶手段のうち前後の画像の差異を検出する画像認識手段があり、
前記画像認識手段が差異があると判別したら、前記第二の記憶手段の圧縮率を変えることを特徴とする。
【００１８】
本発明２は、本発明１にて画像の差異を検出する画像認識手段にて判別する画像は全体画像の一部の領域で行うことを特徴とする。
【００１９】
本発明３は、撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と、
デジタルカメラで記録する画像を記憶する第二の記憶手段があり、
前記第二の記憶手段により低圧縮率（高詳細度画像）と高圧縮率（低細度画像）
を交互で記録することを特徴とする。
【００２０】
本発明４は、撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と、
デジタルカメラで記録する画像を記憶する第二の記憶手段があり、
前記第二の記憶手段により連写の最初の１枚目は低圧縮率（高詳細度画像）で記録し、
２枚目からは高圧縮率（低細度画像）で記録することを特徴とする。
【発明の効果】
【００２１】
本発明は、以下に記載される効果を有する。
【００２２】
請求項１の効果としては、
撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と、
デジタルカメラで記録する画像を記憶する第二の記憶手段と、
前記第一の記憶手段のうち前後の画像の差異を検出する画像認識手段があり、
前記画像認識手段が差異があると判別したら、前記第二の記憶手段の圧縮率を変えることによって、連写中の「高精度の必要な画像」（以下必要画像と略す）の後の「差異のない画像データ」に関しては圧縮率を高くすることで、必要画像以外の画像データ量を減らすことで、第二の記録手段に記録する時間を短縮し、連写の速度向上と必要画像の画質向上の両立を可能にするものである。
【００２３】
請求項２の効果としては、
発明１にて画像の差異を検出する画像認識手段にて判別する画像は全体画像の一部の領域で行うことによって必要な領域で判別をより高速におこなえることにある。
【００２４】
請求項３の効果としては、
撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と、
デジタルカメラで記録する画像を記憶する第二の記憶手段があり、
前記第二の記憶手段により低圧縮率（高詳細度画像）と高圧縮率（低細度画像）
を交互で記録することによって、
あらかじめ圧縮する画像を特定する（連写最初の駒は必要画像の可能性が高いためにまず低圧縮率（高詳細度画像）で記録して、次の駒を高圧縮率（低細度画像）で記録する）ことで、請求項１「画像の差異を検出する処理にかかる時間」をさらに短縮できるため、連写の速度向上と必要画像の画質向上の両立を可能にするものである。
【００２５】
請求項４の効果としては、
撮像手段により撮影した被写体の画像をデジタルデータに記録するデジタルカメラにおいて、
前記撮像手段により連続的に撮影を行い連写画像を得る連写手段と、この連写手段により得た連写画像を一時的に記憶する第一の記憶手段と、
デジタルカメラで記録する画像を記憶する第二の記憶手段があり、
前記第二の記憶手段により連写の最初の１枚目は低圧縮率（高詳細度画像）で記録し、
２枚目からは高圧縮率（低細度画像）で記録することで、
連写最初の駒は必要画像の可能性が高いためにまず低圧縮率（高詳細度画像）で記録して、次の駒を高圧縮率（低細度画像）で記録することで、請求項２の効果よりをさらに短縮できるため、連写の速度向上と必要画像の画質向上の両立を可能にするものである。
【００２６】
また連写最初の駒は低圧縮率（高詳細度画像）で記録できるため、従来例の連続撮影時に撮像素子に取り込む画素数を減少させることで、取り込みデータを圧縮せずに直接に記録媒体に記録することにより全駒の連写画像が荒い画像になってしまい高精度記録ができないといったことはなくなる。
【発明を実施するための最良の形態】
【００２７】
以下本発明を実施するための最良の形態を、実施例により詳しく説明する。
【実施例１】
【００２８】
図１、図２〜図４を用いて本発明の第１実施形態を説明する。
【００２９】
まず本実施形態におけるデジタルカメラシステムの回路構成について説明する。
【００３０】
図１にこのデジタルカメラシステムの電気回路ブロック図を示す。
【００３１】
１はデジタルカメラの電源となる電池を含む電源回路であり、この電源１からの出力電圧は後述する各回路に供給される。
【００３２】
２は、ＤＣＤＣコンバータで、例えば、電源１の電圧が変化しても一定の電圧を出力する定電圧回路を用いることができる。後述のシステム制御回路９にも供給する。
【００３３】
３は、撮像素子でＣＣＤ、ＣＭＯＳ等の撮像素子で光学的なレンズ（不図示）によって撮像素子に結像した光信号を光電変換して電気信号として出力する。
【００３４】
４は、撮像素子３のアナログ信号をデジタル信号に変換するＡＤ変換器、５は、ＡＤ変換器４の出力データを輝度データと色差データに分離してコンポーネント信号を生成するデジタル信号処理回路である。後述のシステム制御回路９と接続され制御される。
【００３５】
ＡＤ変換器４およびデジタル信号回路５からなる部分をカメラ信号処理回路５０と呼ぶことにする。
【００３６】
６は、画像圧縮回路で後述のシステム制御回路９と接続され、システム制御回路９により指定された信号により取り込み画像を低圧縮率（高詳細度画像）、高圧縮率（低細度画像）に可変できる。圧縮方式は公知のＪＰＥＧ方式等がある。
【００３７】
７は、第一の表示手段で例えば電子ビューファインダ、撮影画像を確認する液晶表示等である。画像圧縮回路６に接続される。
【００３８】
８は、映像／音声の外部出力端子で画像圧縮回路６、システム制御回路９に接続される。
【００３９】
９は、システムを全体を制御するシステム制御回路で、例えばマイコンで、ＣＰＵ、ＲＯＭ、ＲＡＭ、入出力制御回路（Ｉ／Ｏ  ＣＯＮＴＲＯＬ）、マルチプレクサ、タイマ回路等を含むマイコン内蔵ワンチップＩＣ回路構成となっており、カメラシステムの制御をソフトウエアで行えるもので条件判断するものである。ここで、システム制御回路９に後述のＥＥＰＲＯＭ１９を内蔵させてもよい。
【００４０】
１０は、撮影画像の最初の圧縮情報を一時記憶するための第一の記憶手段で例えばＳＤＲＡＭなど。第一の記憶手段は、システム制御回路９に接続される。
【００４１】
１１は、後述の第二の記憶手段のインターフェースでシステム制御回路９に接続される。
【００４２】
１２は、撮像画像情報を最終的に記憶する第二の記憶手段でＣＦカード、ＳＤカード、メモリスティク、光磁気ディスク等のメモリである。第二の記憶手段は、インターフェース１１に接続される。
【００４３】
１３は、第二の表示手段で、例えば液晶ディスプレイ（ＬＣＤ）及び液晶表示回路により構成されている。ＬＣＤはカメラ撮影に関する情報を表示する。このＬＣＤは、ファインダー内やカメラ本体外装に取り付けられている。なお、カメラ撮影に関する情報を表示する表示素子として、ＬＣＤだけでなくＬＥＤ等を用いてもよい。液晶表示回路は、システム制御回路９からの命令に従ってＬＣＤにカメラ撮影に関する情報を表示させる。
【００４４】
第二の表示手段１３はシステム制御回路９に接続される。
【００４５】
１４は、測距手段で距離測定装置（不図示）に配置された測距回路で、被写体距離の測定を行う。ここで、被写体距離の測定方法として、カメラ本体２００側から光を投光して被写体からの反射光を受光することにより測距情報を得るアクティブ方式や、画面に対応して設けられたラインセンサ及びこのラインセンサの駆動制御を行う駆動回路で構成し、この駆動回路により各センサにおける電気量の蓄積制御を行うとともに各センサにおける像信号を読みとることにより、被写体像がどの位置で焦点を結んでいるかを既存の位相差検出方法で演算して検出するパッシブ方式を用いることができる。測距手段１４はシステム制御回路９に接続される。
【００４６】
１５は、レンズ駆動手段でレンズ（不図示）をモータ（不図示）により合焦させるように動作する。合焦動作は測距手段１４の結果によりシステム制御回路９を介して演算し、演算結果のデフォーカス量とレンズ固有のパラメータから撮影レンズ中のフォーカスレンズ群をモータ（不図示）により駆動することで行われる。レンズ駆動手段１５はシステム制御回路９に接続される。
【００４７】
１６は、測光手段で被写体輝度を測定するための測光回路である。この測光手段は、システム制御回路９からの命令を受けて適正な露出を決定するために必要なデータ（被写体輝度）をシステム制御回路９に送る。測光手段１６はシステム制御回路９に接続される。
【００４８】
１７は、シャッタ駆動手段で、公知のシャッタ駆動回路である。システム制御回路９の信号により命令されたシャッタスピード値になるようにシャッタ（不図示）の開閉の制御を行う。シャッタ駆動手段１７はシステム制御回路９に接続される。
【００４９】
１８は、絞り駆動手段で、公知の絞り駆動回路である。システム制御回路９の信号により命令された絞り値になるように絞り（不図示）の開閉の制御を行う。絞り駆動手段１８はシステム制御回路９に接続される。
【００５０】
１９は、システム制御回路９に接続されたＥＥＰＲＯＭ（電気的にデータを消去・書き換えすることができるＲＯＭ）である。このＥＥＰＲＯＭ１９にはカメラ動作に必要な設定情報が書き込まれる。
【００５１】
２０は、操作スイッチで、スイッチ検出回路及びスイッチ群で構成されている。スイッチ検出回路、スイッチ群を構成する複数のスイッチのうち各スイッチにおけるオン／オフ状態を検出して、この検出信号をシステム制御回路９に出力する。ここで、スイッチ群には、例えばレリーズボタンの半押しでオンするスイッチ（ＳＷ１）、レリーズボタンの全押しでオンするスイッチ（ＳＷ２）、連写と単写を切り替えるスイッチ、露出を設定するためのスイッチ（絞り、シャッタ速度設定ＳＷ）、オートフォーカス（ＡＦ）マニュアルフォーカス（ＭＦ）切り替えスイッチ、画像の圧縮率の設定スイッチ、電源スイッチ等が含まれる。操作スイッチ２０はシステム制御回路９に接続される。
【００５２】
次に、図２から図４に示すフローチャートに基づいて本実施形態の動作について説明する。
【００５３】
まず電源１の電池が接続され、操作スイッチ２０のスイッチ群の１つであるメインスイッチ（不図示）がオンになるとＤＣ／ＤＣコンバータ２が起動する。
【００５４】
これにより、ＤＣ／ＤＣコンバータ２で定電圧が発生し、これらの定電圧がシステム制御回路９や各回路に供給される。システム制御回路９に定電圧が供給されると、システム制御回路９内のＣＰＵにおいてリセット動作が行われる。具体的には、プログラム内におけるフラグをクリアにしたり、記憶されていた内容をクリアにしたりする。
【００５５】
以下システム制御回路９におけるプログラム動作の説明を行う。
【００５６】
ステップＳ１では、初期設定を行う。つまり、プログラムのフラグ（例えばＣＯＮＴ、ＣＯＵＮＴ等）をクリアしたり、メモリの内容をリセットしたりする。
【００５７】
ステップＳ２では、操作スイッチ２０においてスイッチ群の各スイッチにおけるオン／オフ状態が検出されて、この検出信号がシステム制御回路９に出力される。例えば、操作スイッチ２０は、レリーズボタンの半押しでオンするスイッチ（ＳＷ１）、レリーズボタンの全押しでオンするスイッチ（ＳＷ２）、連写と単写を切り替えるスイッチ、露出を設定するためのスイッチ（絞り、シャッタ速度設定ＳＷ）、オートフォーカス（ＡＦ）マニュアルフォーカス（ＭＦ）切り替えスイッチ、画像の圧縮率の設定スイッチ、電源スイッチ等の各スイッチにおけるオン／オフ状態を検出する。特に本件では最初に単写モードでの圧縮率を設定する。
【００５８】
ステップＳ３ではレリーズスイッチ（例えばレリーズスイッチが、半押しと本押しの２重押しのスイッチになっており、半押しのスイッチをＳＷ１としこれがオンすると撮影準備動作を行い、本押しのスイッチをＳＷ２としこれがオンすると撮影動作をおこなうスイッチ）のＳＷ１がオンしているかの判別を行い、オフしているときはステップＳ２に戻りオンしているときは次のステップへいく。
【００５９】
ステップＳ４では電源１の電圧（バッテリ電圧）をシステム制御回路９よりバッテリチェック回路（不図示）に信号を送り、バッテリチェック回路で検知する。実際は電源電池１に一定の負荷を与え、この時の電圧降下をチェックする。このバッテリ電圧（レベル）は、システム制御回路９内のＡ／Ｄコンバータでアナログ値からデジタル値に変換しメモリしておく。
【００６０】
ステップＳ５は検知したバッテリ電圧をシステム制御回路９で電圧判別を行い、任意のレベル（例えば、カメラ最低動作電圧）以下であるときＮＧと判断しステップＳ２に戻り、任意の電圧より大きければＯＫと判断し次のステップへ進む。
【００６１】
ステップＳ６では、システム制御回路９から信号を送り測距手段１４により、たとえば画面に対応したラインセンサから構成されていて、駆動回路によりセンサの蓄積制御が行われ、システム制御回路９が各センサ毎の像信号を受け取り、被写体がどの位置に焦点を結んでいるかを位相差検出方式で、システム制御回路９にて演算することで検出する（パッシブ測距）。そしてシステム制御回路９の演算結果により、通信によりレンズ駆動手段１５によりモータを動作させレンズを所定位置まで動かす。
【００６２】
ステップＳ７では、測光手段１６にて、被写体の輝度を測光し、システム制御回路９からの信号により、露出に必要なデータ（信号）をシステム制御回路９に送信し、適正な露出をきめる（シャッタ速度、絞り値）。
【００６３】
ステップＳ８では、操作スイッチ２０の連写と単写を切り替えるスイッチの状態を読み（Ｓ２）、単写モードのときにはステップＳ９へ、連写モードの時にはステップＳ１０へ進む。
【００６４】
ステップＳ９では、連写モードを示すフラグＣＯＮＴを０にする。（単写モード）
また連写の回数を示すフラグＣＯＵＮＴを０にする。
【００６５】
ステップＳ１０では、連写モードを示すフラグＣＯＮＴを１にする（連写モード）。また連写の回数を示すフラグＣＯＵＮＴを０にする。
【００６６】
ステップＳ１１では、操作スイッチ２０のレリーズスイッチの本押しのスイッチＳＷ２がオンしているかの判別を行い、オフしているときはステップＳ２に戻りオンしているときはステップＳ１３へいく。
【００６７】
ステップＳ１２では、公知のシャッタ・絞り制御ならびに発光制御を行う。ステップ７で決められた露出に必要なデータ（信号）であるシャッタ速度、絞り値等をシステム制御回路９からの信号により、シャッタ駆動手段１７、絞り駆動手段１８に送信し、シャッタ、絞りを駆動し適正な露出をきめる。
【００６８】
ステップＳ１３では画像処理、メモリへの書き込み処理を行う。光学的なレンズ（不図示）によってＣＣＤ、ＣＭＯＳ等の撮像素子に結像した光信号を光電変換して電気信号として出力する。この電気信号をシステム制御回路９により、ＡＤ変換器４を介して輝度データと色差データに分離してコンポーネント信号を生成するデジタル信号処理を行う。この信号を画像圧縮回路６で圧縮処理を行い、システム制御回路９により指定された信号により取り込み画像を低圧縮率Ｐ１（高詳細度画像）、高圧縮率Ｐ２（低細度画像）のいずれかに圧縮する。なお圧縮方式は公知のＪＰＥＧ方式等がある。
【００６９】
ＣＯＵＮＴ＝０のときは初めに設定された低圧縮率Ｐ１（高詳細度画像）、高圧縮率Ｐ２（低細度画像）か、もしくは低圧縮率（高詳細度画像）を設定する。なお、圧縮率の設定はここでは２種類にしたが、２種類以上でも同様で設定圧縮率もしくは低圧縮率（高詳細度画像）側を設定する。
【００７０】
これを高速な読み書きができるＳＲＡＭ等の撮影画像の最初の圧縮情報を一時記憶するための第一の記憶手段１０に記憶される。
【００７１】
その後、順次、第二の記憶手段のインターフェース１１を介して比較的低速な記憶手段のＣＦカード、ＳＤカード、メモリスティク、光磁気ディスク等の第二の記憶手段に記録される。
【００７２】
ステップＳ１４では、画像処理設定を行う。この詳細は図４で別途説明する。
【００７３】
ステップＳ１５では連写モードを示すフラグＣＯＮＴを０のとき（単写モード）はステップＳ１６へ、連写モードを示すフラグＣＯＮＴを１のとき（連写モード）はステップＳ１７へ進む。
【００７４】
ステップＳ１６では連写の回数を示すフラグＣＯＵＮＴを０にしてステップＳ２に戻る。
【００７５】
ステップＳ１７では連写の回数を示すフラグＣＯＵＮＴを１増やしてステップＳ２に戻る。
【００７６】
図４でステップＳ１４での、画像処理設定の説明をする。
【００７７】
ステップＳ３０１で連写の回数を示すフラグＣＯＵＮＴが０か０以外かを判別する。ＣＯＵＮＴ＝０の場合はステップＳ３０２へ進み、ＣＯＵＮＴ≠０の場合はステップＳ３０３へ進む。
【００７８】
ステップＳ３０２では、単写のデータの記憶でステップＳ１３にて第一の記憶手段にＣＯＵＮＴ＝０時の画像データを記憶するように処理する。そしてステップＳ１へ進む。
【００７９】
ステップＳ３０３では、ＣＯＵＮＴ≠０である連写の２枚目以降のデータの記憶で第一の記憶手段にＣＯＵＮＴ＝ｎ（ｎ＝１〜）時の画像データを記憶するように処理する（画像Ａ）。
【００８０】
ステップＳ３０４では、連写の前回のデータＣＯＵＮＴ＝ｎ−１（ｎ＝１〜）時の画像データを呼び出すように処理する。（画像Ｂ）例えば２枚目なら１枚目のデータ（ステップＳ３０２で記憶した画像）を呼び出す。
【００８１】
ステップＳ３０５では、画像Ｂと画像Ａの各画素の差分を演算する。
【００８２】
ステップＳ３０６では、差分が一定以上あると差異ありとみなして動作のある画像として判別しステップＳ３０７へ進み、差分が一定未満のときは差異なしとみなして動作のない画像として判別しステップＳ３０８へ進む。このときの画像認識手段はここではシステム制御回路９となる。また画像の差分の演算する領域は画面の任意の一部でもよい（例えば中央の１０％の領域）。これにより差分演算の高速化する。
【００８３】
ステップＳ３０７では、差異がないと判断して高圧縮率Ｐ２（低細度画像）を設定する。
【００８４】
ステップＳ３０８では、差異がありと判断して低圧縮率Ｐ１（高細度画像）を設定する。このように動作のない画像はほぼ同じ画像と判別されるため、初めの１枚高圧縮率Ｐ２（低細度画像）にすれば、残りの差異のない画像は高圧縮率Ｐ２（低細度画像）にする必要がなく、低圧縮率Ｐ１（高細度画像）で充分となる。
【００８５】
ステップＳ３０９では画像Ａの格納データを画像Ｂに入れ、次回撮影時のデータ（ステップＳ３０４）とする。そしてステップＳ１５へ戻る。
【実施例２】
【００８６】
図１、図２〜図３、図５を用いて本発明の第２実施形態を説明する。
【００８７】
図１、図２〜図３の説明は前述と同じで図５にて説明する。
【００８８】
図５でステップＳ１４での、画像処理設定の説明をする。
【００８９】
ステップＳ２０１で連写の回数を示すフラグＣＯＵＮＴが偶数か奇数かを判別する。ＣＯＵＮＴ＝偶数の場合はステップＳ２０２へ進み、ＣＯＵＮＴ＝奇数の場合はステップＳ２０３へ進む。
【００９０】
ステップＳ２０２では低圧縮率Ｐ１（高細度画像）を設定する。そしてステップＳ１５へ戻る。
【００９１】
ステップＳ２０３では低圧縮率Ｐ１（高細度画像）よりも高圧縮率の高圧縮率Ｐ２（低細度画像）を設定する。そしてステップＳ１５へ戻る。
【００９２】
例えば１枚目が低圧縮率Ｐ１（高細度画像）で撮影し２枚目は高圧縮率Ｐ２（低細度画像）、３枚目は低圧縮率Ｐ１（高細度画像）と交互に圧縮率を変えることで演算判別することなく簡単で容易に目的が達成できる。
【実施例３】
【００９３】
図１、図２〜図３、図６を用いて本発明の第３実施形態を説明する。
【００９４】
図１、図２〜図３の説明は前述と同じで図６にて説明する。
【００９５】
図６でステップＳ１４での、画像処理設定の説明をする。
【００９６】
ステップＳ１０１で連写の回数を示すフラグＣＯＵＮＴ０か１以上かを判別する。
【００９７】
ＣＯＵＮＴ＝０の場合はステップＳ１０２へ進み、ＣＯＵＮＴ＞０の場合はステップＳ１０３へ進む。
【００９８】
ステップＳ１０２では低圧縮率Ｐ１（高細度画像）を設定する。そしてステップＳ１５へ戻る。
【００９９】
ステップＳ１０３では低圧縮率Ｐ１（高細度画像）よりも高圧縮率の高圧縮率Ｐ２（低細度画像）を設定する。そしてステップＳ１５へ戻る。
【０１００】
例えば一番抑えたい１枚目が低圧縮率Ｐ１（高細度画像）で撮影し２枚目以降は高圧縮率Ｐ２（低細度画像）に圧縮率を変えることで演算判別することなく簡単で容易に目的が達成できる。
【図面の簡単な説明】
【０１０１】
【図１】デジタルカメラシステムの電気回路ブロック図
【図２】動作フローチャート
【図３】動作フローチャート
【図４】実施例１の画像処理設定のフローチャート
【図５】実施例２の画像処理設定のフローチャート
【図６】実施例３の画像処理設定のフローチャート
【符号の説明】
【０１０２】
１  電源
３  撮像素子
６  画像圧縮回路
９  システム制御回路
１０  第一の記憶手段
１２  第二の記憶手段
２０  操作スイッチ
５０  カメラ信号処理回路
【図１】
2006174251.tif 000003
【図２】
2006174251.tif 000004
【図３】
2006174251.tif 000005
【図４】
2006174251.tif 000006
【図５】
2006174251.tif 000007
【図６】
2006174251.tif 000008